(57)【特許請求の範囲】
【請求項１】
コンロバーナの混合管の入口部に向けて燃料ガスを噴出するノズル孔を有し、ノズル保持部材に螺着されるノズル本体と、燃料ガスの噴出方向を軸方向として、燃料ガスの噴出空間を囲うようにノズル本体から軸方向に突設した筒部とを備え、筒部に、一次空気の吸引孔を周方向の間隔を存して複数開設したコンロバーナ用ガスノズルにおいて、
筒部の軸方向先端部と混合管の入口部との間に、混合管の入口部への一次空気の吸引を許容する軸方向の隙間が確保されると共に、
筒部に回動可能に外挿されるダンパ筒を備え、このダンパ筒に、周方向の間隔を存して複数の空気調節孔が開設され、ダンパ筒の回動で各空気調節孔と各吸引孔との重なり度合が変化して、各吸引孔の開度が調節されるようにし、
筒部の軸方向先端部と混合管の入口部との間の軸方向隙間量は、吸引孔を全閉した場合でも不完全燃焼を生ずるほどには燃焼性が悪化しない基本量の一次空気が当該軸方向隙間を介して混合管の入口部から吸引されるように設定されることを特徴とするコンロバーナ用ガスノズル。
【請求項２】
前記筒部の軸方向先端部に、径方向外方に張出すフランジ部が形成され、前記ダンパ筒の軸方向長さは、前記ノズル保持部材とフランジ部との間の軸方向距離と同等であって、ノズル保持部材とフランジ部との間にダンパ筒が挟まれることを特徴とする請求項１記載のコンロバーナ用ガスノズル。
【請求項３】
前記ダンパ筒は、断面Ｃ形の筒状に形成されたばね材で構成され、ばね材の弾性力でダンパ筒が前記筒部の外周面に弾力的に接触することを特徴とする請求項１又は２記載のコンロバーナ用ガスノズル。
【請求項４】
前記各空気調節孔は、前記各吸引孔よりも軸方向寸法が大きな方形の孔であることを特徴とする請求項１〜３の何れか１項記載のコンロバーナ用ガスノズル。
【請求項５】
請求項１〜４の何れか１項記載のコンロバーナ用ガスノズルであって、前記コンロバーナは、下面に混合管を一体に垂設したバーナヘッドを備え、バーナヘッド内で混合管からのガス流が径方向に広がることにより生ずるラジアルベンチュリー効果で混合管の下端の入口部から一次空気を吸引するバーナであることを特徴とするコンロバーナ用ガスノズル。
【発明の詳細な説明】
【技術分野】
【０００１】
本発明は、コンロバーナの混合管の入口部に向けて燃料ガスを噴出するコンロバーナ用ガスノズルに関する。
【背景技術】
【０００２】
従来、この種のガスノズルとして、コンロバーナの混合管の入口部に向けて燃料ガスを噴出するノズル孔を有し、ノズル保持部材に螺着されるノズル本体と、燃料ガスの噴出方向を軸方向として、燃料ガスの噴出空間を囲うようにノズル本体から軸方向に突設した筒部とを備え、筒部に、一次空気の吸引孔を周方向の間隔を存して複数開設したものが知られている（例えば、特許文献１参照）。このものでは、ノズル孔から燃料ガスが噴出されるのに伴い、吸引孔から筒部内に一次空気が吸引されて、燃料ガスと一次空気との混合ガスが筒部の軸方向先端から混合管の入口部に向けて噴出する。
【０００３】
また、このものにおいて、混合管は、入口部に対し縮径したベンチュリー部を有しており、ベンチュリー部に生ずる負圧で入口部からも一次空気が吸引されるようにしている。そして、入口部に回動可能なダンパ板を装着し、ダンパ板によって入口部の一次空気用開口部の開度を変化させて、一次空気の吸引量を調節するようにしている。
【０００４】
ところで、地域（特に海外）によっては、同じガス種であってもガス組成やガス圧力がばらつくことがあり、このばらつきに合わせてバーナに供給される一次空気量をきめ細やかに調節することが必要になる。ここで、上記ガスノズルにおいては、ガスノズルの筒部に一次空気が吸引されるものの、バーナに供給される一次空気のうち混合管の入口部から吸引される一次空気の割合が多い。そのため、混合管の入口部に装着したダンパ板を微小角度回動させただけでも、バーナに供給される一次空気量が比較的大きく変化してしまい、一次空気量をきめ細やかに調節することが困難になる。
【０００５】
また、従来、コンロバーナとして、下面に混合管を垂設したバーナヘッドを備え、バーナヘッド内で混合管からのガス流が径方向に広がることにより生ずるラジアルベンチュリー効果で混合管の下端の入口部から一次空気を吸引するバーナも知られている（例えば、特許文献２参照）。このバーナは、ユーザーが混合管ごとバーナヘッドを取り外して手入れすることができる。この場合、混合管の入口部にダンパ板が装着されていると、ユーザーが誤ってダンパ板を外したり、位置ずれさせたりして、一次空気量が適正範囲から外れ、燃焼不良をする恐れがある。
【先行技術文献】
【特許文献】
【０００６】
【特許文献１】特開平１１−１８２８１９号公報
【特許文献２】特開２０１１−５２９４７号公報
【発明の概要】
【発明が解決しようとする課題】
【０００７】
本発明は、以上の点に鑑み、上記従来のガスノズルを改良して、バーナに供給される一次空気量をきめ細やかに調節できるようにしたコンロバーナ用ガスノズルを提供することをその課題としている。
【課題を解決するための手段】
【０００８】
上記課題を解決するために、本発明は、コンロバーナの混合管の入口部に向けて燃料ガスを噴出するノズル孔を有し、ノズル保持部材に螺着されるノズル本体と、燃料ガスの噴出方向を軸方向として、燃料ガスの噴出空間を囲うようにノズル本体から軸方向に突設した筒部とを備え、筒部に、一次空気の吸引孔を周方向の間隔を存して複数開設したコンロバーナ用ガスノズルにおいて、筒部の軸方向先端部と混合管の入口部との間に、混合管の入口部への一次空気の吸引を許容する軸方向の隙間が確保されると共に、筒部に回動可能に外挿されるダンパ筒を備え、このダンパ筒に、周方向の間隔を存して複数の空気調節孔が開設され、ダンパ筒の回動で各空気調節孔と各吸引孔との重なり度合が変化して、各吸引孔の開度が調節されるようにし、筒部の軸方向先端部と混合管の入口部との間の軸方向隙間量は、吸引孔を全閉した場合でも不完全燃焼を生ずるほどには燃焼性が悪化しない基本量の一次空気が当該軸方向隙間を介して混合管の入口部から吸引されるように設定されることを特徴とする。
【０００９】
本発明によれば、筒部の軸方向先端部と混合管の入口部との間の軸方向隙間量によって、バーナに供給される一次空気の基本的な量を管理できる。ここで、ガスノズルの筒部に吸引孔から吸引される一次空気量は、混合管の入口部から吸引される一次空気量に比し少ない。そのため、吸引孔の開度をダンパ筒で調節することにより、バーナに供給される一次空気量をきめ細やかに調節することができる。また、誤って吸引孔を全閉した場合でも、混合管の入口部から基本量の一次空気が吸引されるため、不完全燃焼を生ずるほどには燃焼性が悪化せず、安全である。
【００１０】
尚、本発明においては、筒部の軸方向先端部に、径方向外方に張出すフランジ部が形成され、ダンパ筒の軸方向長さは、ノズル保持部材とフランジ部との間の軸方向距離と同等であって、ノズル保持部材とフランジ部との間にダンパ筒が挟まれることが望ましい。これによれば、コンロ運送中の振動等でダンパ筒が軸方向に位置ずれして、吸引孔の開度が狂うことを防止できる。
【００１１】
また、ダンパ筒が周方向に位置ずれして、吸引孔の開度が狂ってしまうこともある。そのため、ダンパ筒は、断面Ｃ形の筒状に形成されたばね材で構成され、ばね材の弾性力でダンパ筒が筒部の外周面に弾力的に接触することが望ましい。これによれば、振動等でダンパ筒が周方向に位置ずれすることを防止できる。
【００１２】
更に、各空気調節孔は、各吸引孔よりも軸方向寸法が大きな方形の孔であることが望ましい。これによれば、ダンパ筒が軸方向に多少位置ずれしても、各吸引孔の開度は変化せず、有利である。
【００１３】
また、コンロバーナが、下面に混合管を垂設したバーナヘッドを備え、バーナヘッド内で混合管からのガス流が径方向に広がることにより生ずるラジアルベンチュリー効果で混合管の下端の入口部から一次空気を吸引するバーナである場合、本発明のガスノズルを適用すれば、以下の利点がある。即ち、混合管の入口部に一次空気調節用のダンパ板を装着しなくても済むため、ユーザーが混合管ごとバーナヘッドを取り外して手入れする際に、誤ってダンパ板を外したり、位置ずれさせたりして、一次空気量が適正範囲から外れることを防止できる。
【図面の簡単な説明】
【００１４】
【図１】本発明の実施形態のガスノズルを適用したコンロバーナの一例を示す斜視図。
【図２】図１のＩＩ−ＩＩ線で切断した断面図。
【図３】実施形態のガスノズルの分解状態の斜視図。
【発明を実施するための形態】
【００１５】
図１、図２を参照して、１は、図示省略したコンロ本体内に設置されるバーナホルダを示しており、このバーナホルダ１によりコンロバーナ２が支持される。バーナホルダ１は、ガスノズル３を取付けるノズル保持部材として機能する台座部１１と、台座部１１の一端に立設した支柱部１２と、支柱部１２の上端から台座部１１に対向するようにして張り出す上板部１３とを有している。台座部１１には、ガスノズル３に燃料ガスを供給するガス通路１１ａが形成され、上板部１３には、ガスノズル３と同心の支持筒部１３ａが形成されている。
【００１６】
コンロバーナ２は、下面中央部に混合管２１を一体に垂設した平面視円形のバーナヘッド２２と、バーナヘッド２２上に載置される円板状のバーナキャップ２３とを備えている。そして、混合管２１をバーナホルダ１の支持筒部１３ａに内嵌させることにより、ガスノズル３と混合管２１とが同一軸線上に位置するように、バーナヘッド２２がバーナホルダ１に芯決めされた状態で支持される。尚、混合管２１は、その流入口２１ａに対し縮径したベンチュリー部を有しておらず、後述するラジアルベンチュリー効果で流入口２１ａから一次空気を吸引する。
【００１７】
バーナヘッド２２には、混合管２１の上端の開口縁部から上方に突出する環状の隆起部２２ａと、上面外周部から上方に突出する環状壁２２ｂとを有しており、この環状壁２２ｂの上端面にバーナキャップ２３が着座する。環状壁２２ｂには、その上端面から下方に窪む炎口溝が周方向の間隔を存して複数形成されており、これら炎口溝の上端をバーナキャップ２３で閉塞することにより、バーナヘッド２２とバーナキャップ２３との間に炎口２４が画成される。
【００１８】
バーナキャップ２３の下面には、隆起部２２ａの上端面に所定の隙間を存して対向する裏板２５が取付けられている。裏板２５の外周には、周方向の間隔を存して複数の芯決め片２５ａが垂設されており、これら芯決め片２５ａの下端部が隆起部２２ａの外周面に当接することでバーナキャップ２３がバーナヘッド２２に対し芯決めされる。そして、ガスノズル３から燃料ガスを噴出させたとき、混合管２１を介してバーナヘッド２２に流入するガス流が裏板２５の下面に当たって径方向に広がり、所謂ラジアルベンチュリー効果を生じて、混合管２１の下端の入口部２１ａから一次空気が吸い込まれるようにしている。
【００１９】
図３も参照して、ガスノズル３は、混合管２１の入口部２１ａに向けて燃料ガスを噴出するノズル孔３１を有し、台座部１１に螺着されるノズル本体３０と、燃料ガスの噴出方向を軸方向（上方）として、燃料ガスの噴出空間を囲うようにノズル本体３０から軸方向に突設した筒部３２とを備えている。筒部３２には、一次空気の吸引孔３３が周方向の間隔を存して複数（例えば、４個）開設されている。各吸引孔３３は、径方向内方に向けて拡径するテーパー付きの丸孔である。
【００２０】
筒部３２の軸方向先端部（上端）には、径方向外方に張出す六角形のフランジ部３２ａが形成されている。そして、フランジ部３２ａにレンチ等の工具を掛けて、ノズル本体３０を台座部１１に螺着するようにしている。尚、フランジ部３２ａの形状は、六角形に限られるものではなく、非円形であって、ノズル本体３０を台座部１１に螺着する際の工具掛け部となるものであればよい。
【００２１】
また、筒部３２の軸方向先端部、即ち、フランジ部３２ａと混合管２１の入口部２１ａとの間には、入口部２１ａからの一次空気の吸引を許容する軸方向の隙間が確保されている。そして、ガス種ごとにノズル孔３１の孔径及び筒部３２の長さが異なるガスノズル３を用意し、フランジ部３２ａと混合管２１の入口部２１ａとの間の軸方向隙間量によって、コンロバーナ２に供給される一次空気の基本的な量を管理できるようにしている。
【００２２】
ガスノズル３は、更に、筒部３２に回動可能に外挿されるダンパ筒３４を備えている。ダンパ筒３４には、周方向の間隔を存して複数の空気調節孔３５が開設されている。そして、ダンパ筒３４の回動により、各空気調節孔３５と各吸引孔３３との重なり度合が変化して、各吸引孔３３の開度が調節されるようにしている。
【００２３】
本実施形態のガスノズル３によれば、ノズル孔３１から燃料ガスが噴出されるのに伴い、各吸引孔３３から筒部３２内に一次空気が吸引されて、燃料ガスと一次空気との混合ガスが筒部３２の軸方向先端から混合管２１の入口部２１ａに向けて噴出する。ここで、筒部３２に吸引孔３３から吸引される一次空気量は、混合管２１の入口部２１ａから吸引される一次空気量に比し少ない。そのため、吸引孔３３の開度をダンパ筒３４で調節することにより、コンロバーナ２に供給される一次空気量をきめ細やかに調節することができる。従って、同じガス種でガス組成やガス圧力がばらついても、このばらつきに合わせた一次空気量のきめ細やかな調節を容易に行うことができる。また、誤って吸引孔３３を全閉した場合でも、混合管２１の入口部２１ａから基本量の一次空気が吸引されるため、不完全燃焼を生ずるほどには燃焼性が悪化せず、安全である。
【００２４】
また、本実施形態のコンロバーナ２は、ユーザーが混合管２１ごとバーナヘッド２２を取り外して手入れすることができる。この場合、混合管２１の入口部２１ａに一次空気調節用のダンパ板が装着されていると、ユーザーが誤ってダンパ板を外したり、位置ずれさせたりして、一次空気量が適正範囲から外れ、燃焼不良を生ずる恐れがある。一方、本実施形態では、ガスノズル３に装着したダンパ筒３４で一次空気量を調節できるため、混合管２１の入口部２１ａに一次空気調節用のダンパ板を装着せずに済み、上記の不具合は生じない。
【００２５】
ところで、コンロ運送中の振動等によりダンパ筒３４が調節済み位置から軸方向や周方向に位置ずれして、吸引孔３３の開度が狂ってしまうことがある。そこで、本実施形態では、ダンパ筒３４の軸方向長さを、台座部１１にノズル本体３０を取付けた状態での台座部１１とフランジ部３２ａとの間の軸方向（上下方向）距離と同等に設定している。そして、台座部１１とフランジ部３２ａとの間にダンパ筒３４が挟まれるようにしている。これによれば、ダンパ筒３４が軸方向に位置ずれせず、この位置ずれで吸引孔３３の開度が狂うことを防止できる。
【００２６】
尚、ダンパ筒３４の軸方向長さが、寸法公差で、台座部１１とフランジ部３２ａとの間の軸方向距離より長くなると、ダンパ筒３４が台座部１１とフランジ部３２ａとの間で強く挟圧されて、ダンパ筒３４を回動することが困難になる。そこで、本実施形態では、寸法公差を考慮して、ダンパ筒３４の軸方向長さを台座部１１とフランジ部３２ａとの間の設計上の軸方向距離より若干短くしており、この場合も上記「同等」に含まれる。
【００２７】
但し、このままでは、ダンパ筒３４が軸方向に若干位置ずれして、吸引孔３３の開度が狂う可能性がある。そこで、本実施形態では、各空気調節孔３５を、各吸引孔３３よりも軸方向（上下方向）寸法が大きな方形の孔としている。これによれば、ダンパ筒３４が軸方向に多少位置ずれしても、各吸引孔３３の開度は変化せず、上記の不具合を生じない。尚、各吸引孔３３が丸孔でなくても、各空気調節孔３５を上述した方形孔にすることで、同様の効果が得られる。
【００２８】
更に、本実施形態では、ダンパ筒３４を、その周方向一箇所に割り部３４ａを有する断面Ｃ形の筒状に形成されたばね材で構成し、ばね材の弾性力でダンパ筒３４が筒部３２の外周面に弾力的に接触するようにしている。これによれば、振動等でダンパ筒３４が調節済み位置から周方向に位置ずれすることを筒部３２に対するダンパ筒３４の摩擦力で阻止し、吸引孔３３の開度が狂うことを防止できる。
【００２９】
また、本実施形態では、割り部３４ａの周方向幅を空気調節孔３５の周方向幅と同等にし、割り部３４ａが、これに対応する筒部３２の周方向箇所に開設した吸引孔３３の開度を調節する空気調節孔として機能するようにしている。更に、割り部３４ａの周方向両側には、径方向外方に突出する舌片部３４ｂが曲成されている。そして、舌片部３４ｂに指を掛けて、ダンパ筒３４を回動調節できるようにしている。
【００３０】
以上、本発明の実施形態について図面を参照して説明したが、本発明はこれに限定されない。例えば、上記実施形態のガスノズル３は、混合管２１にベンチュリー部を形成せずに、ラジアルベンチュリー効果で混合管２１の入口部２１ａから一次空気を吸引するコンロバーナ２に適用したものであるが、ベンチュリー部を有する混合管を備えるコンロバーナ用のガスノズルにも同様に本発明を適用できる。
【符号の説明】
【００３１】
１…バーナホルダ、１１…台座部（ノズル保持部材）、２…コンロバーナ、２１…混合管、２２…バーナヘッド、３…ガスノズル、３０…ノズル本体、３１…ノズル孔、３２…筒部、３３…吸引孔、３４…ダンパ筒、３５…空気調節孔。
【図１】
0005491486.tif 000002
【図２】
0005491486.tif 000003
【図３】
0005491486.tif 000004